(57)【要約】【課題】対象者の体調に基づいてアンビエント照明手段及び／又はタスク照明手段を自動的に制御し、当該対象者の体調の改善を図ることが可能な照明システムを提供する。【解決手段】室内全体の照明を調節可能なアンビエント照明装置１０と、前記室内に在室している対象者２に対応して設けられ、当該対象者２の周囲の局所的な照明を調節可能なタスク照明装置２０と、対象者２の体調を判定可能なカメラ３０及びパソコン５０と、カメラ３０及びパソコン５０により判定される対象者２の体調に基づいて、前記体調が改善するようにアンビエント照明装置１０及び／又はタスク照明装置２０の運転を制御するパソコン５０とを具備した。【選択図】図１
2015060790.tif 000002
【特許請求の範囲】
【請求項１】
室内全体の照明を調節可能なアンビエント照明手段と、
前記室内に在室している対象者に対応して設けられ、当該対象者の周囲の局所的な照明を調節可能なタスク照明手段と、
前記対象者の体調を判定可能な体調判定手段と、
前記体調判定手段により判定される対象者の体調に基づいて、前記体調が改善するように前記アンビエント照明手段及び／又は前記タスク照明手段の運転を制御する制御手段とを具備する照明システム。
【請求項２】
前記体調には、前記対象者の集中力の程度を示す集中度が含まれる、
請求項１に記載の照明システム。
【請求項３】
前記制御手段は、
前記対象者の集中度が基準値よりも低い場合には、当該対象者に対応するタスク照明手段による照度の、前記アンビエント照明手段による照度に対する比が高くなるように、前記アンビエント照明手段及び／又は前記タスク照明手段の運転を制御する、
請求項２に記載の照明システム。
【請求項４】
前記制御手段は、
前記対象者の集中度が基準値よりも低い場合には、当該対象者に休憩を促すように、前記アンビエント照明手段及び／又は前記タスク照明手段の運転を制御する、
請求項２又は請求項３に記載の照明システム。
【請求項５】
前記体調には、前記対象者の疲労の程度を示す疲労度が含まれる、
請求項１から請求項４までのいずれか一項に記載の照明システム。
【請求項６】
前記制御手段は、
前記対象者の疲労度が基準値よりも高い場合には、当該対象者に休憩を促すように、前記アンビエント照明手段及び／又は前記タスク照明手段の運転を制御する、
請求項５に記載の照明システム。
【請求項７】
前記対象者の体調に関する警告を発することが可能な報知手段をさらに具備し、
前記制御手段は、
前記体調判定手段によって判定された前記対象者の疲労度が複数回連続して基準値よりも高い場合には、前記報知手段によって警告を発する、
請求項６に記載の照明システム。
【請求項８】
前記体調判定手段は、
前記対象者の瞬きを検出し、当該瞬きに基づいて前記対象者の体調を判定する、
請求項１から請求項７までのいずれか一項に記載の照明システム。
【請求項９】
室内に在室している対象者の集中力の程度を示す集中度及び前記対象者の疲労の程度を示す疲労度を判定し、当該判定された集中度及び疲労度に基づいて、室内全体の照明であるアンビエント照明及び／又は前記対象者の周囲の局所的な照明であるタスク照明を調節する照明の調節方法であって、
前記対象者の集中度が基準値よりも低い場合には、前記タスク照明による照度の、前記アンビエント照明による照度に対する比が高くなるように、前記アンビエント照明及び／又は前記タスク照明を調節し、
前記対象者の疲労度が基準値よりも高い場合には、当該対象者に休憩を促すように、前記アンビエント照明及び／又は前記タスク照明を調節する照明の調節方法。
【発明の詳細な説明】
【技術分野】
【０００１】
本発明は、室内の照明を自動的に調節する照明システム及び照明の調節方法の技術に関する。
【背景技術】
【０００２】
従来、室内の照明を自動的に調節する照明システム及び照明の調節方法の技術は公知となっている。例えば、特許文献１に記載の如くである。
【０００３】
特許文献１には、アンビエント用照明装置（アンビエント照明手段）及びタスク用照明装置（タスク照明手段）と、当該各照明装置を制御する制御装置（制御手段）と、を具備する照明システムが記載されている。
【０００４】
一般的に、作業者（対象者）の体調（具体的には、対象者の覚醒感や集中感）は、時間帯に応じて悪化したり良好になったりする傾向がある。そこで特許文献１に記載の照明システムでは、制御手段に当該傾向が予め記憶され、時間帯に応じて各照明手段の出力が制御される。これによって、当該照明システムは対象者の体調の改善を図ることができる。
【０００５】
しかしながら、特許文献１に記載の照明システムは、予め記憶された一般的な対象者の体調の変化の傾向に応じて各照明手段を制御するため、必ずしも実際の対象者の体調に適した制御を行うことができるとは限らない点で不利であった。
【先行技術文献】
【特許文献】
【０００６】
【特許文献１】特開２００５−２３５５５３
【発明の概要】
【発明が解決しようとする課題】
【０００７】
本発明は以上の如き状況に鑑みてなされたものであり、その解決しようとする課題は、対象者の体調に基づいてアンビエント照明手段及び／又はタスク照明手段を自動的に制御し、当該対象者の体調の改善を図ることが可能な照明システム及び照明の調節方法を提供することである。
【課題を解決するための手段】
【０００８】
本発明の解決しようとする課題は以上の如くであり、次にこの課題を解決するための手段を説明する。
【０００９】
即ち、請求項１においては、室内全体の照明を調節可能なアンビエント照明手段と、前記室内に在室している対象者に対応して設けられ、当該対象者の周囲の局所的な照明を調節可能なタスク照明手段と、前記対象者の体調を判定可能な体調判定手段と、前記体調判定手段により判定される対象者の体調に基づいて、前記体調が改善するように前記アンビエント照明手段及び／又は前記タスク照明手段の運転を制御する制御手段とを具備するものである。
【００１０】
請求項２においては、前記体調には、前記対象者の集中力の程度を示す集中度が含まれるものである。
【００１１】
請求項３においては、前記制御手段は、前記対象者の集中度が基準値よりも低い場合には、当該対象者に対応するタスク照明手段による照度の、前記アンビエント照明手段による照度に対する比が高くなるように、前記アンビエント照明手段及び／又は前記タスク照明手段の運転を制御するものである。
【００１２】
請求項４においては、前記制御手段は、前記対象者の集中度が基準値よりも低い場合には、当該対象者に休憩を促すように、前記アンビエント照明手段及び／又は前記タスク照明手段の運転を制御するものである。
【００１３】
請求項５においては、前記体調には、前記対象者の疲労の程度を示す疲労度が含まれるものである。
【００１４】
請求項６においては、前記制御手段は、前記対象者の疲労度が基準値よりも高い場合には、当該対象者に休憩を促すように、前記アンビエント照明手段及び／又は前記タスク照明手段の運転を制御するものである。
【００１５】
請求項７においては、前記対象者の体調に関する警告を発することが可能な報知手段をさらに具備し、前記制御手段は、前記体調判定手段によって判定された前記対象者の疲労度が複数回連続して基準値よりも高い場合には、前記報知手段によって警告を発するものである。
【００１６】
請求項８においては、前記体調判定手段は、前記対象者の瞬きを検出し、当該瞬きに基づいて前記対象者の体調を判定するものである。
【００１７】
請求項９においては、室内に在室している対象者の集中力の程度を示す集中度及び前記対象者の疲労の程度を示す疲労度を判定し、当該判定された集中度及び疲労度に基づいて、室内全体の照明であるアンビエント照明及び／又は前記対象者の周囲の局所的な照明であるタスク照明を調節する照明の調節方法であって、前記対象者の集中度が基準値よりも低い場合には、前記タスク照明による照度の、前記アンビエント照明による照度に対する比が高くなるように、前記アンビエント照明及び／又は前記タスク照明を調節し、前記対象者の疲労度が基準値よりも高い場合には、当該対象者に休憩を促すように、前記アンビエント照明及び／又は前記タスク照明を調節するものである。
【発明の効果】
【００１８】
本発明の効果として、以下に示すような効果を奏する。
【００１９】
請求項１においては、対象者の体調に基づいてアンビエント照明手段及び／又はタスク照明手段を自動的に制御し、当該対象者の体調の改善を図ることができる。
【００２０】
請求項２においては、対象者の集中度の改善（向上）を図ることができる。
【００２１】
請求項３においては、タスク照明手段による照度のアンビエント照明手段による照度に対する比を高めることにより、対象者の集中度の改善（向上）を図ることができる。
【００２２】
請求項４においては、対象者に休憩を促すことにより、当該対象者の集中度の改善（向上）を図ることができる。
【００２３】
請求項５においては、対象者の疲労度の改善（低減）を図ることができる。
【００２４】
請求項６においては、対象者に休憩を促すことにより、当該対象者の疲労度の改善（低減）を図ることができる。
【００２５】
請求項７においては、対象者の疲労度の改善（低減）が困難である旨を報知すると共に、当該対象者の疲労度の根本的な改善を促すことができる。
【００２６】
請求項８においては、対象者の瞬きに基づいて、自動的に当該対象者の体調を判定することができる。
【００２７】
請求項９においては、対象者の集中度及び疲労度に基づいてアンビエント照明及び／又はタスク照明を調節することで、当該対象者の集中度の改善（向上）及び疲労度の改善（低減）を図ることができる。
【図面の簡単な説明】
【００２８】
【図１】本発明の一実施形態に係る照明システムの全体的な構成を示した模式図。
【図２】照明システムによる制御を示すフローチャート。
【図３】同じく、図２の制御の続きを示すフローチャート。
【図４】同じく、図３の制御の続きを示すフローチャート。
【図５】顔の器官の座標を示した模式図。
【発明を実施するための形態】
【００２９】
まず、図１を用いて、本発明に係る照明システムの実施の一形態である照明システム４の構成について説明する。
【００３０】
照明システム４は、部屋１の内部（室内）に在室している人の体調が改善するように、室内の照明環境を自動的に調節するものである。本実施形態においては、照明システム４が設けられる部屋１内には、１名の人（対象者２）が在室しているものとする。照明システム４は、主としてアンビエント照明装置１０、タスク照明装置２０、カメラ３０、表示装置４０及びパソコン５０を具備する。
【００３１】
アンビエント照明装置１０は、本発明に係るアンビエント照明手段の実施の一形態である。アンビエント照明装置１０は、部屋１の室内全体の照明（アンビエント照明）を調節するものである。アンビエント照明装置１０は、部屋１の天井に互いに所定間隔をおいて複数個所設けられる。アンビエント照明装置１０は、その出力を適宜調節することで、部屋１の室内全体の照明を調節することができる。
【００３２】
タスク照明装置２０は、本発明に係るタスク照明手段の実施の一形態である。タスク照明装置２０は、対象者２の周囲の局所的な照明（タスク照明）を調節するものである。タスク照明装置２０は、対象者２に対応して設けられる。具体的には、タスク照明装置２０は、対象者２が着座した机３に設けられる。タスク照明装置２０は、その出力を適宜調節することで、対象者２の作業スペースである机３の上の局所的な照明を調節することができる。
【００３３】
カメラ３０は、本発明に係る体調判定手段の実施の一形態である。カメラ３０は、対象者２の顔を撮像するものである。カメラ３０は、机３に着座した対象者２の前方に配置される。具体的には、カメラ３０は、対象者２に対応して設けられたタスク照明装置２０に一体的に設けられる。カメラ３０は、机３に着座した対象者２の顔を常時撮像することができる。
【００３４】
表示装置４０は、本発明に係る報知手段の実施の一形態である。表示装置４０は、対象者２の体調に関する警報を発するものである。表示装置４０は、液晶ディスプレイ等により構成される。表示装置４０は、任意の位置に適宜配置される。具体的には、表示装置４０は、対象者２の体調を管理する立場にある人（管理者）が視認可能な場所に設けられる。
【００３５】
パソコン５０は、本発明に係る制御手段及び体調判定手段の実施の一形態である。パソコン５０は、カメラ３０により撮像される対象者２の顔から当該対象者２の体調を判定すると共に、当該判定された体調に基づいてアンビエント照明装置１０及びタスク照明装置２０の運転を制御するものである。
パソコン５０は、ＲＡＭやＲＯＭ等の記憶部、ＣＰＵ等の演算処理部等により構成され、種々の情報に基づいて所定の演算処理や記憶等を行うことができる。
【００３６】
パソコン５０はアンビエント照明装置１０に接続され、当該アンビエント照明装置１０の運転を制御することができる。
パソコン５０はタスク照明装置２０に接続され、当該タスク照明装置２０の運転を制御することができる。
パソコン５０はカメラ３０に接続され、当該カメラ３０が撮像した画像データを取得することができる。
パソコン５０は表示装置４０に接続され、当該表示装置４０に任意の情報を表示させることができる。
【００３７】
次に、図２から図５までを用いて、上述の如く構成された照明システム４において、パソコン５０がアンビエント照明装置１０及びタスク照明装置２０の運転を制御することによって、部屋１の室内の照明を調節する様子（照明の調節方法）について詳細に説明する。
なお、初期状態として、パソコン５０は、タスク照明装置２０による机３上の照度が３００（ｌｘ）、アンビエント照明装置１０による机３上の照度が４００（ｌｘ）となるように、当該タスク照明装置２０及びアンビエント照明装置１０の運転を制御しているものとする。
【００３８】
図２のステップＳ１０１において、パソコン５０は、対象者２が机３に着座したことを検出する。具体的には、パソコン５０はカメラ３０によって撮像された画像から、対象者２が机３に着座したか否かを判定することができる。
パソコン５０は、対象者２が机３に着座したと判定した場合、ステップＳ１０２に移行する。
【００３９】
ステップＳ１０２において、パソコン５０は、対象者２が机３に着座している累積時間を計測する。具体的には、パソコン５０は対象者２が机３に着座した時点（ステップＳ１０１）から、当該対象者２が机３に着座している時間の計測を開始する。計測開始後に対象者２が一時的に机３を離れた場合には、当該対象者２が机３を離れている時間は累積時間としてカウントしない。
パソコン５０は、対象者２が机３に累積で４５分間着座したと判定した場合、ステップＳ１０３に移行する。
【００４０】
ステップＳ１０３において、パソコン５０は、対象者２の体調を推定する。具体的には、パソコン５０は対象者２の体調を示す指標として、「集中度」及び「疲労度」を推定する。
以下、集中度及び疲労度の推定方法について具体的に説明する。
【００４１】
まず、図５を用いて、集中度の推定方法について説明する。
ここで、「集中度」とは、対象者２の集中力の程度を示すものである。本実施形態においては、「対象者２の所定時間当たりの瞬き回数」に基づいて「集中度」を推定する。
【００４２】
まず、パソコン５０は、（１）カメラ３０によって常時（正確には、微小時間毎に）撮像される対象者２の顔の画像データを取得する。
【００４３】
次に、パソコン５０は、（２）取得した各画像データに現された対象者２の顔の器官（目Ｅ及び鼻Ｎ）を座標に変換する。
具体的には、図５に示すように、パソコン５０は取得した各画像データに現された対象者２の顔のうち、右目Ｅの最も内側に位置する端部の点を点Ｐ１と、左目Ｅの最も内側に位置する端部の点を点Ｐ２と、右の鼻Ｎの穴の最も外側に位置する端部の点を点Ｐ３と、左の鼻Ｎの穴の最も外側に位置する端部の点を点Ｐ４と、右目Ｅの上まぶたのうち最も上に位置する端部の点を点Ｐ５と、右目Ｅの下まぶたのうち最も下に位置する端部の点を点Ｐ６と、左目Ｅの上まぶたのうち最も上に位置する端部の点を点Ｐ７と、左目Ｅの下まぶたのうち最も下に位置する端部の点を点Ｐ８と、それぞれ決定する。
【００４４】
次に、パソコン５０は、（３）対象者２の顔の器官の座標を正規化する。
具体的には、パソコン５０は点Ｐ１、点Ｐ２、点Ｐ３及び点Ｐ４を用いてホモグラフィ変換やアフィン変換等を行い、撮像された対象者２の顔の傾きが座標に与える影響、すなわち測定誤差を打ち消すように、当該座標を正規化する。
【００４５】
次に、パソコン５０は、（４）正規化された対象者２の顔の器官の座標を位置情報（距離情報）に変換する。
具体的には、パソコン５０は、正規化された座標を、点Ｐ５から点Ｐ６までの距離、及び点Ｐ７から点Ｐ８までの距離にそれぞれ変換する。以下では、当該点Ｐ５から点Ｐ６までの距離を「右目開閉度」と、点Ｐ７から点Ｐ８までの距離を「左目開閉度」と、それぞれ記す。
【００４６】
次に、パソコン５０は、（５）右目開閉度及び左目開閉度をそれぞれ標準開閉度と比較し、当該標準開閉度に対して所定の閾値以上変化した（小さくなった）場合には対象者２が瞬きをしたと判定する。
ここで、「標準開閉度」とは、瞬きをしていない時（標準時）における対象者２の右目開閉度及び左目開閉度である。当該標準開閉度は、予め測定されてパソコン５０に記憶されている。対象者２ごとの標準開閉度を記憶しておくことで、より正確な制御を行うことが可能となる。
また、「所定の閾値」とは、例えば３ピクセル等、予め任意に設定される値である。当該所定の閾値としては、対象者２が瞬きをしたと判定できるような値を、実験等に基づいて選定することが望ましい。
【００４７】
パソコン５０は、（６）上述の（１）から（５）までのような瞬きの判定方法を用いて検出される対象者２の瞬きの、所定時間当たりの回数（頻度）をカウントする。
ここで、「所定時間」とは、例えば１分間等、予め任意に設定される時間である。
【００４８】
パソコン５０は、このようにして得られた対象者２の所定時間当たりの瞬き回数に基づいて、集中度を推定する。
すなわち、一般的に、人は何かに集中している時ほど瞬き回数が少なくなる傾向にあるため、所定時間当たりの瞬き回数から集中度を推定することができる。具体的には、所定時間当たりの瞬き回数が少ないほど集中度は高く、所定時間当たりの瞬き回数が多いほど集中度は低いものと推定することができる。
【００４９】
次に、図５を用いて、疲労度の推定方法について説明する。
ここで、「疲労度」とは、対象者２の疲労の程度を示すものである。本実施形態においては、「対象者２の所定時間当たりの瞬き回数に占める疲労瞬き（後述する）の回数の割合」に基づいて「疲労度」を推定する。
【００５０】
まず、パソコン５０は、上述の集中度の推定方法と同様に、（１）カメラ３０によって常時（正確には、微小時間毎に）撮像される対象者２の顔の画像データを取得し、（２）取得した各画像データに現された対象者２の顔の器官（目Ｅ及び鼻Ｎ）を座標に変換し、（３）対象者２の顔の器官の座標を正規化し、（４）正規化された対象者２の顔の器官の座標を位置情報（距離情報）に変換し、（５）右目開閉度及び左目開閉度をそれぞれ標準開閉度と比較し、当該標準開閉度に対して所定の閾値以上変化した（小さくなった）場合には対象者２が瞬きをしたと判定する。
【００５１】
次に、パソコン５０は、（６）上述の（１）から（５）までのような瞬きの判定方法を用いて検出された対象者２の瞬きの中から、右目開閉度及び左目開閉度が標準開閉度に対して所定の閾値以上変化した（小さくなった）状態が所定時間以上続いている瞬きを検出する。
ここで、「所定の閾値」とは、例えば２ピクセル等、予め任意に設定される値である。当該所定の閾値としては、対象者２が瞬きをしようとしていると判定できるような値を、実験等に基づいて選定することが望ましい。
また、「所定時間」とは、例えば２（秒）等、予め任意に設定される時間である。当該所定時間としては、対象者２が疲れていない状態（通常時）における瞬きに要する時間よりも大きい値が選定される。
すなわち、パソコン５０は、対象者２の瞬きの中から、右目開閉度及び左目開閉度が小さい状態が長く続くような瞬き（ゆっくりした瞬き）を検出する。このような比較的ゆっくりした瞬きは、対象者２が疲労している状態において発生し易い。以下、このようなゆっくりした瞬きを、単に「疲労瞬き」と記す。
【００５２】
次に、パソコン５０は、（７）対象者２の所定時間当たりの瞬き回数（頻度）に占める疲労瞬きの回数の割合を算出する。
ここで、「所定時間」とは、例えば１分間等、予め任意に設定される時間である。
【００５３】
パソコン５０は、このようにして得られた対象者２の所定時間当たりの瞬き回数に占める疲労瞬きの回数の割合に基づいて、疲労度を推定する。
すなわち、一般的に、人は疲れている時ほどゆっくりした瞬き（疲労瞬き）を多数行うと考えられるため、所定時間当たりの瞬き回数に占める疲労瞬きの回数の割合から疲労度を推定することができる。具体的には、所定時間当たりの瞬き回数に占める疲労瞬きの回数の割合が低いほど疲労度は低く、所定時間当たりの瞬き回数に占める疲労瞬きの回数の割合が高いほど疲労度は高いものと推定することができる。
【００５４】
パソコン５０は、対象者２の集中度及び疲労度を推定した場合、ステップＳ１０４に移行する。
【００５５】
ステップＳ１０４において、パソコン５０は、対象者２の集中度が基準値よりも低いか否かを判定する。
具体的には、パソコン５０は、対象者２の「所定時間当たりの瞬き回数が所定の閾値より多い」場合には、「集中度が基準値よりも低い」ものと判定する。また、パソコン５０は、対象者２の「所定時間当たりの瞬き回数が所定の閾値以下である」場合には、「集中度が基準値以上である」ものと判定する。
ここで、「所定の閾値」とは、例えば６（回）等、予め任意に設定される値である。当該所定の閾値としては、対象者２の集中度が改善を要する程度に低いか否かを判定できるような値を、実験等に基づいて選定することが望ましい。
パソコン５０は、対象者２の集中度が基準値よりも低い、すなわち対象者２の所定時間当たりの瞬き回数が所定の閾値より多い場合には、ステップＳ１０５に移行する。
パソコン５０は、対象者２の集中度が基準値以上である、すなわち対象者２の所定時間当たりの瞬き回数が所定の閾値以下である場合には、ステップＳ１０６に移行する。
【００５６】
ステップＳ１０５において、パソコン５０は、対象者２の疲労度が基準値よりも高いか否かを判定する。
具体的には、パソコン５０は、対象者２の「所定時間当たりの瞬き回数に占める疲労瞬きの回数の割合が所定の閾値より高い」場合には、「疲労度が基準値よりも高い」ものと判定する。また、パソコン５０は、対象者２の「所定時間当たりの瞬き回数に占める疲労瞬きの回数の割合が所定の閾値以下である」場合には、「疲労度が基準値以下である」ものと判定する。
ここで、「所定の閾値」とは、例えば５０（％）等、予め任意に設定される値である。当該所定の閾値としては、対象者２の疲労度が改善を要する程度に高いか否かを判定できるような値を、実験等に基づいて選定することが望ましい。
パソコン５０は、対象者２の疲労度が基準値以下である、すなわち対象者２の所定時間当たりの瞬き回数に占める疲労瞬きの回数の割合が所定の閾値以下である場合には、ステップＳ１０７（図３参照）に移行する。
パソコン５０は、対象者２の疲労度が基準値よりも高い、すなわち対象者２の所定時間当たりの瞬き回数に占める疲労瞬きの回数の割合が所定の閾値より高い場合には、ステップＳ１１０（図３参照）に移行する。
【００５７】
ステップＳ１０４から移行したステップＳ１０６において、パソコン５０は、対象者２の疲労度が基準値よりも高いか否かを判定する。
パソコン５０は、対象者２の疲労度が基準値よりも高い、すなわち対象者２の所定時間当たりの瞬き回数に占める疲労瞬きの回数の割合が所定の閾値より高い場合には、ステップＳ１１３（図３参照）に移行する。
パソコン５０は、対象者２の疲労度が基準値以下である、すなわち対象者２の所定時間当たりの瞬き回数に占める疲労瞬きの回数の割合が所定の閾値以下である場合には、ステップＳ１１９（図４参照）に移行する。
【００５８】
ステップＳ１０５から移行した図３に示すステップＳ１０７において、パソコン５０は、タスク照明装置２０を明滅（点滅）させる。
このように、パソコン５０はタスク照明装置２０を明滅させることで、対象者２に小休憩（例えば、５分程度の短い休憩）を促す。対象者２に小休憩させることで、当該対象者２の集中度を高める（改善する）ことができる。
パソコン５０は、対象者２が机３を離れるまでタスク照明装置２０の明滅を継続させる。対象者２が机３を離れた場合、パソコン５０はタスク照明装置２０の明滅を停止させる。
パソコン５０はステップＳ１０７の処理を行った後、ステップＳ１０８に移行する。
【００５９】
ステップＳ１０８において、パソコン５０は、対象者２が机３に着座したこと（戻ってきたこと）を検出する。
パソコン５０は、対象者２が机３に着座したと判定した場合、ステップＳ１０９に移行する。
【００６０】
ステップＳ１０９において、パソコン５０は、アンビエント照明装置１０による照度に対するタスク照明装置２０による照度の比（以下、この比を単に「タスク・アンビエント比」と記す）が高くなるように、当該アンビエント照明装置１０及びタスク照明装置２０の運転を制御する。
具体的には、パソコン５０は、タスク照明装置２０による机３上の照度が５００（ｌｘ）、アンビエント照明装置１０による机３上の照度が３００（ｌｘ）となるように、当該タスク照明装置２０及びアンビエント照明装置１０の運転を制御する。このように制御することで、タスク・アンビエント比（５００／３００）は、初期状態におけるタスク・アンビエント比（３００／４００）に比べて高くなる。
一般的に、タスク・アンビエント比を高くすることによって、人の集中度を高める（改善する）ことができる。従って、本実施形態においては、タスク照明装置２０及びアンビエント照明装置１０の運転を制御してタスク・アンビエント比を高めることで、対象者２の集中度を高めることができる。
パソコン５０は、当該ステップＳ１０９の処理を行った後、再度ステップＳ１０３（図２参照）に移行する。
【００６１】
ステップＳ１０５（図２参照）から移行した図３に示すステップＳ１１０において、パソコン５０は、タスク照明装置２０及びアンビエント照明装置１０を減光させる。
このように、パソコン５０は、タスク照明装置２０及びアンビエント照明装置１０を、例えば対象者２の仕事がし難くなる程度まで減光させることで、対象者２に休憩（例えば、１５分程度の休憩）を促す。対象者２に休憩させることで、当該対象者２の集中度を高める（改善する）と共に、疲労度を低減させる（改善する）ことができる。
パソコン５０は、対象者２が机３を離れるまでタスク照明装置２０及びアンビエント照明装置１０の減光を継続させる。対象者２が机３を離れた場合、パソコン５０はタスク照明装置２０及びアンビエント照明装置１０の出力を、減光する以前の出力まで元に戻す。
パソコン５０はステップＳ１１０の処理を行った後、ステップＳ１１１に移行する。
【００６２】
ステップＳ１１１において、パソコン５０は、対象者２が机３に着座したこと（戻ってきたこと）を検出する。
パソコン５０は、対象者２が机３に着座したと判定した場合、ステップＳ１１２に移行する。
【００６３】
ステップＳ１１２において、パソコン５０は、タスク・アンビエント比が高くなるように、アンビエント照明装置１０及びタスク照明装置２０の運転を制御する。
具体的には、パソコン５０は、タスク照明装置２０による机３上の照度が５００（ｌｘ）、アンビエント照明装置１０による机３上の照度が３００（ｌｘ）となるように、当該タスク照明装置２０及びアンビエント照明装置１０の運転を制御する。このように制御することで、タスク・アンビエント比（５００／３００）は、初期状態におけるタスク・アンビエント比（３００／４００）に比べて高くなる。
このように、タスク照明装置２０及びアンビエント照明装置１０の運転を制御してタスク・アンビエント比を高めることで、対象者２の集中度を高めることができる。
パソコン５０は、当該ステップＳ１１２の処理を行った後、ステップＳ１１６（図４参照）に移行する。
【００６４】
ステップＳ１０６（図２参照）から移行した図３に示すステップＳ１１３において、パソコン５０は、タスク照明装置２０及びアンビエント照明装置１０を減光させる。
このように、パソコン５０は、タスク照明装置２０及びアンビエント照明装置１０を、例えば対象者２の仕事がし難くなる程度まで減光させることで、対象者２に休憩（例えば、１５分程度の休憩）を促す。対象者２に休憩させることで、当該対象者２の疲労度を低下させる（改善する）ことができる。
パソコン５０は、対象者２が机３を離れるまでタスク照明装置２０及びアンビエント照明装置１０の減光を継続させる。対象者２が机３を離れた場合、パソコン５０はタスク照明装置２０及びアンビエント照明装置１０の出力を、減光する以前の出力まで元に戻す。
パソコン５０はステップＳ１１３の処理を行った後、ステップＳ１１４に移行する。
【００６５】
ステップＳ１１４において、パソコン５０は、対象者２が机３に着座したこと（戻ってきたこと）を検出する。
パソコン５０は、対象者２が机３に着座したと判定した場合、ステップＳ１１５に移行する。
【００６６】
ステップＳ１１５において、パソコン５０は、タスク照明装置２０及びアンビエント照明装置１０による照度が初期状態と同じ値になるように、当該タスク照明装置２０及びアンビエント照明装置１０の運転を制御する。
具体的には、パソコン５０は、タスク照明装置２０による机３上の照度が３００（ｌｘ）、アンビエント照明装置１０による机３上の照度が４００（ｌｘ）となるように、当該タスク照明装置２０及びアンビエント照明装置１０の運転を制御する。
パソコン５０は、当該ステップＳ１１５の処理を行った後、ステップＳ１１６（図４参照）に移行する。
【００６７】
ステップＳ１１２又はステップＳ１１５（図３参照）から移行した図４に示すステップＳ１１６において、パソコン５０は、対象者２が机３に着座している累積時間を計測する。具体的には、パソコン５０は対象者２が机３に着座した時点（ステップＳ１１１又はステップＳ１１４）から、当該対象者２が机３に着座している時間の計測を開始する。計測開始後に対象者２が一時的に机３を離れた場合には、当該対象者２が机３を離れている時間は累積時間としてカウントしない。
パソコン５０は、対象者２が机３に累積で４５分間着座したと判定した場合、ステップＳ１１７に移行する。
【００６８】
ステップＳ１１７において、パソコン５０は、対象者２の体調を推定する。具体的には、パソコン５０は対象者２の「疲労度」を推定する。
パソコン５０は、対象者２の疲労度を推定した場合、ステップＳ１１８に移行する。
【００６９】
ステップＳ１１８において、パソコン５０は、対象者２の疲労度が基準値よりも高いか否かを判定する。
パソコン５０は、対象者２の疲労度が基準値以下である場合には、ステップＳ１１９に移行する。
パソコン５０は、対象者２の疲労度が基準値よりも高い場合には、ステップＳ１２０に移行する。
【００７０】
ステップＳ１１９において、パソコン５０は、タスク照明装置２０及びアンビエント照明装置１０による照度が初期状態と同じ値になるように、当該タスク照明装置２０及びアンビエント照明装置１０の運転を制御する。
具体的には、パソコン５０は、タスク照明装置２０による机３上の照度が３００（ｌｘ）、アンビエント照明装置１０による机３上の照度が４００（ｌｘ）となるように、当該タスク照明装置２０及びアンビエント照明装置１０の運転を制御する。
パソコン５０は、当該ステップＳ１１５の処理を行った後、再度ステップＳ１０２（図２参照）に移行する。
【００７１】
ステップＳ１１８から移行したステップＳ１２０において、パソコン５０は、表示装置４０を用いて対象者２の体調が悪い旨の警報を発する。
具体的には、パソコン５０は表示装置４０の画面上に、対象者２が非常に疲労している可能性がある旨を表示させる。当該表示を前記管理者に見せることによって、当該管理者に対象者２の体調管理や業務量の変更等を促すことができる。
【００７２】
上述の如く、対象者２の集中度が基準値よりも低く（ステップＳ１０４でＹｅｓ）、かつ疲労度が基準値以下である（ステップＳ１０５でＮｏ）場合には、対象者２に小休憩を促す（ステップＳ１０７）と共に、タスク・アンビエント比を高める（ステップＳ１０９）ことで、集中度の向上を図ることができる。
【００７３】
また、対象者２の集中度が基準値よりも低く（ステップＳ１０４でＹｅｓ）、かつ疲労度が基準値よりも高い（ステップＳ１０５でＹｅｓ）場合には、対象者２に休憩を促す（ステップＳ１１０）と共に、タスク・アンビエント比を高める（ステップＳ１１２）ことで、疲労度の低減及び集中度の向上を図ることができる。
【００７４】
また、対象者２の集中度が基準値以上であり（ステップＳ１０４でＮｏ）、かつ疲労度が基準値よりも高い（ステップＳ１０６でＹｅｓ）場合には、対象者２に休憩を促す（ステップＳ１１３）ことで、疲労度の低減を図ることができる。
【００７５】
さらに、対象者２の疲労度が基準値よりも高いと判定された場合（ステップＳ１０５又はステップＳ１０６でＹｅｓ）には、その後再度対象者２の疲労度を推定する（ステップＳ１１７）。当該疲労度が基準値よりも高いと再び判定された場合（ステップＳ１１８でＹｅｓ）には、警報を発する（ステップＳ１２０）ことで、対象者２の体調の根本的な改善（体調管理や業務量の変更等）を促すことができる。
【００７６】
以上の如く、本実施形態に係る照明システム４は、
室内全体の照明を調節可能なアンビエント照明装置１０（アンビエント照明手段）と、
前記室内に在室している対象者２に対応して設けられ、当該対象者２の周囲の局所的な照明を調節可能なタスク照明装置２０（タスク照明手段）と、
対象者２の体調を判定可能なカメラ３０及びパソコン５０（体調判定手段）と、
前記体調判定手段により判定される対象者２の体調に基づいて、前記体調が改善するようにアンビエント照明装置１０及び／又はタスク照明装置２０の運転を制御するパソコン５０（制御手段）とを具備するものである。
このように構成することにより、対象者２の体調に基づいてアンビエント照明装置１０及び／又はタスク照明装置２０を自動的に制御し、当該対象者２の体調の改善を図ることができる。
【００７７】
また、前記体調には、対象者２の集中力の程度を示す集中度が含まれるものである。
このように構成することにより、対象者２の集中度の改善（向上）を図ることができる。
【００７８】
また、パソコン５０は、
対象者２の集中度が基準値よりも低い場合には、当該対象者２に対応するタスク照明装置２０による照度の、アンビエント照明装置１０による照度に対する比が高くなるように、アンビエント照明装置１０及び／又はタスク照明装置２０の運転を制御するものである。
このように、タスク照明装置２０による照度のアンビエント照明装置１０による照度に対する比を高めることにより、対象者２の集中度の改善（向上）を図ることができる。
【００７９】
また、パソコン５０は、
対象者２の集中度が基準値よりも低い場合には、当該対象者２に休憩を促すように、アンビエント照明装置１０及び／又はタスク照明装置２０の運転を制御するものである。
このように、対象者２に休憩を促すことにより、当該対象者２の集中度の改善（向上）を図ることができる。
【００８０】
また、前記体調には、対象者２の疲労の程度を示す疲労度が含まれるものである。
このように構成することにより、対象者２の疲労度の改善（低減）を図ることができる。
【００８１】
また、パソコン５０は、
対象者２の疲労度が基準値よりも高い場合には、当該対象者２に休憩を促すように、アンビエント照明装置１０及び／又はタスク照明装置２０の運転を制御するものである。
このように、対象者２に休憩を促すことにより、当該対象者２の疲労度の改善（低減）を図ることができる。
【００８２】
また、照明システム４は、
対象者２の体調に関する警告を発することが可能な表示装置４０（報知手段）をさらに具備し、
パソコン５０は、
前記体調判定手段によって判定された対象者２の疲労度が２回連続して基準値よりも高い場合には、表示装置４０によって警告を発するものである。
このように構成することにより、対象者２の疲労度の改善（低減）が困難である旨を報知すると共に、当該対象者２の疲労度の根本的な改善を促すことができる。
【００８３】
また、前記体調判定手段は、
対象者２の瞬きを検出し、当該瞬きに基づいて対象者２の体調を判定するものである。
このように構成することにより、対象者２の瞬きに基づいて、自動的に当該対象者２の体調を判定することができる。
また、瞬きの回数等に基づいて、集中度や疲労度だけでなく、ドライアイ等の目に関する症状の事前予測を行うことも可能であり、ひいてはドライアイ等の予防を図ることもできる。
【００８４】
また、本実施形態に係る照明の調節方法は、
室内に在室している対象者２の集中力の程度を示す集中度及び対象者２の疲労の程度を示す疲労度を判定し、当該判定された集中度及び疲労度に基づいて、室内全体の照明であるアンビエント照明及び／又は対象者２の周囲の局所的な照明であるタスク照明を調節する照明の調節方法であって、
対象者２の集中度が基準値よりも低い場合には、前記タスク照明による照度の、前記アンビエント照明による照度に対する比が高くなるように、前記アンビエント照明及び／又は前記タスク照明を調節し、
対象者２の疲労度が基準値よりも高い場合には、当該対象者２に休憩を促すように、前記アンビエント照明及び／又は前記タスク照明を調節するものである。
このように構成することにより、対象者２の集中度及び疲労度に基づいてアンビエント照明及び／又はタスク照明を調節することで、当該対象者２の集中度の改善（向上）及び疲労度の改善（低減）を図ることができる。
【００８５】
なお、本実施形態においては、部屋１の室内に対象者２は１名のみ在室しているものとしたが、本発明はこれに限るものではなく、２名以上在室していても良い。この場合、各対象者２が着座する机３にそれぞれタスク照明装置２０及びカメラ３０が設けられる。このような構成において、各対象者２の体調（集中度及び疲労度）が改善されるように、照明の制御を行うことが可能である。
【００８６】
また、本発明に係るアンビエント照明手段及びタスク照明手段は、本実施形態に係るアンビエント照明装置１０及びタスク照明装置２０に限るものではなく、その種類（ＬＥＤ、有機ＥＬ等）、個数、配置等を限定するものではない。
【００８７】
また、本発明に係る制御手段は、本実施形態に係るパソコン５０に限るものではなく、種々の情報に基づいてアンビエント照明手段及びタスク照明手段の運転を制御することが可能なものであれば良い。
【００８８】
また、本実施形態においては、対象者２の瞬きに基づいて当該対象者２の体調を判定するものとしたが、本発明はこれに限るものではない。すなわち、その他対象者２に関する情報（表情や行動等）に基づいて当該対象者２の体調を判定する構成とすることも可能である。
【００８９】
また、本発明に係る体調判定手段は、本実施形態に係るカメラ３０及びパソコン５０に限るものではなく、対象者２の体調を判定可能な種々の装置（例えば、対象者２の心拍数を測定する装置等）を用いることも可能である。
【００９０】
また、本発明に係る報知手段は、本実施形態に係る表示装置４０に限るものではなく、対象者２の体調に関する警告を発することが可能なもの（例えば、ブザー等）であれば良い。
【００９１】
また、本実施形態においては、表示装置４０は管理者が視認可能な場所に設けられるもの、すなわち当該管理者に警告を発するものとしたが、本発明に係る報知手段はこれに限るものではない。すなわち、報知手段は、対象者２本人に対して警告を発するものであっても良い。
【００９２】
また、本実施形態において、パソコン５０はアンビエント照明装置１０及びタスク照明装置２０の両方の出力を変更することで、タスク・アンビエント比を変更するものとしたが、本発明はこれに限るものではない。すなわち、アンビエント照明装置１０又はタスク照明装置２０のいずれか一方だけの出力を変更することで、タスク・アンビエント比を変更する構成とすることも可能である。
【００９３】
また、本実施形態において例示した数値、すなわち、アンビエント照明装置１０及びタスク照明装置２０による照度、各種の閾値、時間等は一例であり、各値は任意に設定することが可能である。
【００９４】
また、本実施形態においては、対象者２に（小）休憩を促す際に、アンビエント照明装置１０及びタスク照明装置２０を明滅又は減光させるものとしたが、本発明はこれに限るものではない。すなわち、対象者２に休憩を促す際の各照明装置の制御方法は、任意に設定することが可能である。例えば、いずれかの照明装置を一定時間だけ消灯する等の制御を行うことも可能である。
【００９５】
また、本実施形態においては、対象者２に（小）休憩を促す際に、アンビエント照明装置１０及びタスク照明装置２０を用いるものとしたが、本発明はこれに限るものではない。すなわち、他の方法で対象者２に（小）休憩を促す構成とすることも可能である。例えば、当該対象者２が使用しているパソコンにその旨を表示させたり、ブザー等でその旨を報知したりする構成とすることも可能である。
【００９６】
また、本実施形態においては、対象者２の疲労度が２回連続して基準値よりも高い場合には警告するものとしたが、本発明はこれに限るものではなく、対象者２の疲労度が３回以上連続して基準値よりも高い場合に警告する構成とすることも可能である。
【００９７】
また、本実施形態の如く、対象者２の疲労度が基準値よりも高いか否かを連続して判定する場合（ステップＳ１０５（又は、ステップＳ１０６）及びステップＳ１１８）、判定の基準となる基準値は異なる値であっても良い。例えば、２回目（ステップＳ１１８）で対象者２の疲労度が基準値よりも高いと判定された場合には警告を発することになる（ステップＳ１２０）ため、より慎重を期すために当該２回目の基準値は１回目の基準値よりもやや高い値に（すなわち、所定時間当たりの瞬き回数に占める疲労瞬きの回数の割合を、高い値に）設定しても良い。
【００９８】
また、本実施形態の如き制御において、対象者２の集中度及び疲労度の高低のデータを蓄積することで、対象者２が行う業務の効率を推測することができる。例えば、対象者２の集中度が低い状態（ステップＳ１０４でＹｅｓ）が繰り返されている場合には、業務効率は低下することが推測される。このような場合には、各照明装置の制御に限らず、職場環境の改善や人員の変更を図る等、業務効率を向上させる対策を施すことも可能である。
【符号の説明】
【００９９】
２    対象者
４    照明システム
１０  アンビエント照明装置（アンビエント照明手段）
２０  タスク照明装置（タスク照明手段）
３０  カメラ（体調判定手段）
４０  表示装置（報知手段）
５０  パソコン（体調判定手段・制御手段）
【図１】
2015060790.tif 000003
【図２】
2015060790.tif 000004
【図３】
2015060790.tif 000005
【図４】
2015060790.tif 000006
【図５】
2015060790.tif 000007